【手続補正書】
【提出日】平成18年5月19日(2006.5.19)
【手続補正１】
【補正対象書類名】明細書
【補正対象項目名】特許請求の範囲
【補正方法】変更
【補正の内容】
【特許請求の範囲】
【請求項１】  下記式（Ｉ）の１,３−オキサゾリン誘導体および１,３−チアゾリン誘導体：
【化１】
2002518389.tif 000001
式中、記号は以下の意味を有する：
Ａは、フェニル、ピリジル、ピリミジニル、ピラジニル、ピラゾリルまたはチエニルであって、上記の基の各々は場合によって１つまたは２つ以上の基Ｘによって置換されており；
Ｘは、同一または異なっていて、
ａ) ハロゲン、シアノ、ニトロ；または
ｂ) （Ｃ1−Ｃ4）アルキル、（Ｃ2−Ｃ4）アルケニル、（Ｃ2−Ｃ4）アルキニル、（Ｃ1−Ｃ4）アルコキシ、（Ｃ1−Ｃ4）アルキルチオ、（Ｃ1−Ｃ4）アルキルスルフィニル、（Ｃ3−Ｃ8）シクロアルキル、（Ｃ4−Ｃ8）シクロアルケニル、フェニル（グループｂの基は場合によって、ハロゲン、シアノ、(Ｃ1−Ｃ4)アルキル、（Ｃ1−Ｃ4）ハロアルキル、（Ｃ1−Ｃ4）アルコキシおよび（Ｃ1−Ｃ4）ハロアルコキシから成る群から選ばれる１つまたは２つ以上の基によって置換されている）であり；
Ｅは、単結合、（Ｃ1−Ｃ4）アルキレン、−Ｏ−ＣＨ2−または−ＣＨ2−Ｏ−であり；
Ｇは、下記から成る群から選ばれる基であり：
【化２】
2002518389.tif 000002
Ｚは、酸素またはイオウであり；
Ｒ1、Ｒ2およびＲ3は、同一または異なっていて、水素、ハロゲン、（Ｃ1−Ｃ4）ハロアルキル、（Ｃ1−Ｃ4）アルキル、（Ｃ1−Ｃ4）アルコキシ、（Ｃ1−Ｃ4）ハロアルコキシまたはシアノであり；
Ｒ4は、水素または基（Ｃ1−Ｃ8）アルキル、（Ｃ2−Ｃ8）アルケニル、（Ｃ2−Ｃ8）アルキニル、（Ｃ3−Ｃ8）シクロアルキル、（Ｃ3−Ｃ8）シクロアルケニル、（Ｃ4−Ｃ10）シクロアルキルアルキルまたは（Ｃ7−Ｃ12）フェニルアルキル（上記の基の各々は場合によって、ハロゲン、（Ｃ1−Ｃ4）アルキル、（Ｃ1−Ｃ3）ハロアルキル、（Ｃ1−Ｃ4）アルコキシ、（Ｃ1−Ｃ3）ハロアルコキシ、（Ｃ1−Ｃ3）アルキルチオ、（Ｃ3−Ｃ8）シクロアルキル、（Ｃ7−Ｃ12）フェニルアルコキシ、（Ｃ2−Ｃ4）アルキルカルボニル、アルコキシカルボニル、（Ｃ2−Ｃ6）モノアルキル−および（Ｃ3−Ｃ9）ジアルキルアミノカルボニル、シアノ並びにトリ（Ｃ1−Ｃ4）アルキルシリルから成る群から選ばれる１つまたは２つ以上の置換基によって置換されている）であり；
Ｒ5およびＲ6は同一または異なっていて、
ａ) 水素、ハロゲン、シアノ、ホルミル、（Ｃ2−Ｃ5）アルキルカルボニル、（Ｃ2−Ｃ8）アルコキシカルボニル、（Ｃ3−Ｃ9）モノアルキル−およびジアルキルアミノカルボニル；
ｂ) （Ｃ1−Ｃ8）アルキル、（Ｃ3−Ｃ8）シクロアルキル、（Ｃ4−Ｃ8）シクロアルケニル、（Ｃ1−Ｃ8）アルコキシアルキル、（Ｃ1−Ｃ8）アルキルチオ、（Ｃ1−Ｃ8）アルキルスルフィニル、（Ｃ1−Ｃ8）アルキルスルホニル、ＮＲ7Ｒ8、フェニル、フェノキシ、（Ｃ7−Ｃ12）フェニルアルキル、（Ｃ7−Ｃ12）フェニルアルコキシ、ヘテロシクリル、ヘテロシクリルオキシ誘導体、ヘテロシクリル（Ｃ1−Ｃ4）アルコキシ、（Ｃ3−Ｃ12）ヘテロシクリルアルキル（グループｂの各々は場合によって、ハロゲン、（Ｃ1−Ｃ4）アルキル、(Ｃ1−Ｃ3)ハロアルキル、（Ｃ1−Ｃ3）アルコキシ、（Ｃ1−Ｃ3）ハロアルコキシ、（Ｃ1−Ｃ3）アルキルチオ、ＮＲ7Ｒ8、アルキルカルボニル（Ｃ2−Ｃ5）、アルコキシカルボニル（Ｃ2−Ｃ8）、モノアルキル−およびジアルキルアミノカルボニル（Ｃ3−Ｃ9）、シアノ並びにトリ（Ｃ1−Ｃ4）アルキルシリルから成る群から選ばれる１つまたは２つ以上の基で置換されている）；または
ｃ) （Ｃ1−Ｃ8）アルコキシ（グループｃの各々は場合によって、ハロゲン、（Ｃ1−Ｃ3）アルキルチオ、ＮＲ7Ｒ8、アルキルカルボニル（Ｃ2−Ｃ5）、アルコキシカルボニル（Ｃ2−Ｃ8）、モノアルキル−およびジアルキルアミノカルボニル（Ｃ3−Ｃ9）、シアノ並びにトリ（Ｃ1−Ｃ4）アルキルシリルから成る群から選ばれる１つまたは２つ以上の基で置換されている）；であるか、または
ｄ）Ｒ5およびＲ6は一緒になって、ｂ）に記載した基の２つを連結することによって生成される環、好ましくは(Ｃ3−Ｃ5)アルキレン、（Ｃ2−Ｃ4）アルキレンオキシ、（Ｃ1−Ｃ3）アルキレンジオキシ、（Ｃ2−Ｃ4）アルキレンアミノまたはアルキレンチオ（Ｃ2−Ｃ4）を形成し；
Ｒ7およびＲ8は同一または異なっていて、
ａ) 水素；または
ｂ) （Ｃ1−Ｃ8）アルキル、（Ｃ3−Ｃ8）シクロアルキル、（Ｃ7−Ｃ12）フェニルアルキル、（Ｃ1−Ｃ6）アルキルカルボニル、（Ｃ1−Ｃ6）アルキルスルホニル（これらは場合によって、ハロゲン、（Ｃ1−Ｃ4）アルキル、(Ｃ1−Ｃ3)ハロアルキル、（Ｃ1−Ｃ4）アルコキシ、（Ｃ1−Ｃ3）ハロアルコキシ、（Ｃ1−Ｃ3）アルキルチオ、（Ｃ1−Ｃ3）アルキルアミノ、（Ｃ1−Ｃ3）ジアルキルアミノ、（Ｃ3−Ｃ8）シクロアルキル、シアノおよびトリ（Ｃ1−Ｃ4）アルキルシリルから成る群から選ばれる１つまたは２つ以上の基で置換されている）；であるか、または
ｃ) Ｒ7およびＲ8は一緒になってアルキレン（Ｃ3−Ｃ7）、（Ｃ3−Ｃ7）オキサ−、アザ−もしくはチアアルキレン、（Ｃ3−Ｃ7）アルキレンカルボニルまたは(Ｃ3−Ｃ7）アルキレンスルホニルである。
【請求項２】  
Ａは、フェニルまたはピリジルであり；
Ｘは、ａ）ハロゲン、シアノ、ニトロ；または
ｂ）（Ｃ1−Ｃ4）アルキル、（Ｃ1−Ｃ4）アルケニル、（Ｃ1−Ｃ4）アルキニル、（Ｃ1−Ｃ4）アルコキシ、（Ｃ1−Ｃ4）アルキルチオ、（Ｃ1−Ｃ4）アルキルスルフィニル、（Ｃ3−Ｃ7）シクロアルキル、（Ｃ4−Ｃ8）シクロアルケニル（グループｂの基は場合によって、ハロゲン、シアノ、（Ｃ1−Ｃ4）アルコキシおよび（Ｃ1−Ｃ4）ハロアルコキシから成る群から選ばれる１つまたは２つ以上の基によって置換されている）であり；
Ｅは、単結合または−ＣＨ2−であり；
Ｇは、下記であり：
【化３】
2002518389.tif 000003
Ｚは酸素であり；
Ｒ1、Ｒ2、Ｒ3は、Ｈ、ハロゲン、（Ｃ1−Ｃ4）ハロアルキル、（Ｃ1−Ｃ4）アルキル、（Ｃ1−Ｃ4）アルコキシ、（Ｃ1−Ｃ4）ハロアルコキシまたはシアノであり；
Ｒ4は、Ｈまたは（Ｃ1−Ｃ8）アルキル（これは場合によって、ハロゲン、（Ｃ1−Ｃ4）アルキル、（Ｃ1−Ｃ3）ハロアルキル、（Ｃ1−Ｃ4）アルコキシ、（Ｃ1−Ｃ3）ハロアルコキシ、（Ｃ1−Ｃ3）アルキルチオ、（Ｃ3−Ｃ8）シクロアルキル、シアノまたはトリ（Ｃ1−Ｃ4）アルキルシリルから成る群から選ばれる１つまたは２つ以上の基によって置換されている）であり；
Ｒ5、Ｒ6は、
ａ) Ｈ、ハロゲン、シアノ；
ｂ) （Ｃ1−Ｃ8）アルキル、（Ｃ3−Ｃ8）シクロアルキル、（Ｃ4−Ｃ8）シクロアルケニル、（Ｃ1−Ｃ8）アルキルチオ、（Ｃ1−Ｃ8）アルキルスルフィニル、（Ｃ1−Ｃ8）アルキルスルホニル、（Ｃ7−Ｃ12）フェニルアルキル、（Ｃ7−Ｃ12）フェニルアルコキシ、（Ｃ4−Ｃ7）オキシシクロアルキルまたは（Ｃ4−Ｃ7）オキサシクロアルケニル（グループｂは場合によって、ハロゲン、（Ｃ1−Ｃ4）アルキル、（Ｃ1−Ｃ3）ハロアルキル、（Ｃ1−Ｃ3）アルコキシ、（Ｃ1−Ｃ3）ハロアルコキシ、（Ｃ1−Ｃ3）アルキルチオおよびシアノから成る群から選ばれる１つまたは２つ以上の基で置換されている）；または
ｃ) （Ｃ1−Ｃ8）アルコキシ（これは場合によって、ハロゲン、（Ｃ1−Ｃ3）アルキルチオおよびシアノから成る群から選ばれる１つまたは２つ以上の基で置換されている）である、請求項１に記載の式（Ｉ）の化合物。
【請求項３】  
Ａはフェニルであり；
Ｘは、ハロゲン、（Ｃ1−Ｃ4）アルキル、（Ｃ1−Ｃ3）ハロアルキル、（Ｃ1−Ｃ4）アルコキシまたは（Ｃ1−Ｃ3）ハロアルコキシであり；
Ｅは単結合であり；
Ｇは３−ピリジルであり；
Ｚは酸素であり；
Ｒ1、Ｒ2、Ｒ3は、Ｈ、ハロゲン、（Ｃ1−Ｃ4）ハロアルキル、（Ｃ1−Ｃ4）アルキル、（Ｃ1−Ｃ4）アルコキシ、（Ｃ1−Ｃ4）ハロアルコキシであり；
Ｒ4は、Ｈまたは（Ｃ1−Ｃ8）アルキル（これは場合によって、ハロゲン、（Ｃ1−Ｃ4）アルキル、（Ｃ1−Ｃ3）ハロアルキル、（Ｃ1−Ｃ4）アルコキシ、（Ｃ1−Ｃ3）ハロアルコキシ、（Ｃ1−Ｃ3）アルキルチオ、（Ｃ3−Ｃ8）シクロアルキル、シアノおよびトリ（Ｃ1−Ｃ4）アルキルシリルから成る群から選ばれる１つまたは２つ以上の基によって置換されている）であり；
Ｒ5、Ｒ6は、
ａ) 水素、ハロゲン、シアノ；または
ｂ) （Ｃ1−Ｃ8）アルキル、（Ｃ1−Ｃ8）アルコキシ、（Ｃ3−Ｃ8）シクロアルキル、（Ｃ4−Ｃ8）シクロアルケニル、（Ｃ1−Ｃ8）アルキルチオ、（Ｃ1−Ｃ8）アルキルスルフィニル、（Ｃ1−Ｃ8）アルキルスルホニル、（Ｃ7−Ｃ12）フェニルアルキルまたは（Ｃ7−Ｃ12）フェニルアルコキシ（グループｂは場合によって、ハロゲン、（Ｃ1−Ｃ4）アルキル、（Ｃ1−Ｃ3）ハロアルキルおよびシアノから成る群から選ばれる１つまたは２つ以上の基で置換されている）である、請求項１または２に記載の式(Ｉ)の化合物。
【請求項４】  下記（Ｉａ）−（Ｉｅ）から成る群から選ばれる、請求項１〜３のいずれかに記載の式（Ｉ）の化合物：
【化４】
2002518389.tif 000004
（式中、記号は請求項１〜３の式（Ｉ）で与えられた意味を有する）。
【請求項５】  下記（Ｉａ１）−（Ｉａ４）から成る群から選ばれる、請求項４に記載の式（Ｉ）の化合物：
【化５】
2002518389.tif 000005
（式中、記号は請求項１〜３の式（Ｉ）で与えられた意味を有する）。
【請求項６】  請求項１〜５のいずれかに記載の式（Ｉ）の化合物の製造方法であって、ハロゲンおよび下記式（II）
【化６】
2002518389.tif 000006
（式中、ＹはＣｌ、Ｂｒ、Ｉまたは過フルオロアルキルスルホネートであり、さらに
Ａ、ＺおよびＥは式（Ｉ）で与えられた意味を有する）
の過フルオロアルキルスルホネート化合物を、式（III）
Ｇ−Ｍ            （III）
（式中、Ｍは、Ｂ、ＳｎまたはＺｎ含有離脱基であり、さらに
Ｇは、請求項１の式（Ｉ）で与えられた意味を有する）
の有機金属化合物と、パラジウム触媒を用いて反応させることからなる前記の製造方法。
【請求項７】  請求項１〜５のいずれかに記載の少なくとも１つの化合物および少なくとも１つの製剤補助剤を含む作物保護組成物。
【請求項８】  殺真菌的に有効な量の請求項１〜７のいずれかに記載の少なくとも１つの化合物とともに本用途に通常用いられる添加剤または補助剤を含む請求項７に記載の殺真菌組成物。
【請求項９】  請求項１〜５のいずれかに記載の少なくとも１つの化合物の有効量とともに本用途に通常用いられる添加剤または補助剤を含む請求項７に記載の殺虫性、殺ダニ性または殺線虫性組成物。
【請求項１０】  殺真菌、殺虫、殺ダニまたは殺線虫的に有効な量の請求項１〜５のいずれかに記載の少なくとも１つの化合物および少なくとも１つのさらに活性な物質とともに本用途に通常用いられる補助剤および添加剤を含む作物保護組成物。
【請求項１１】  請求項１〜５のいずれかに記載の少なくとも１つの化合物の有効量とともに本用途に通常用いられる補助剤および添加剤を含む、材木の保護に、または封水剤、塗料、金属作業用冷却潤滑剤または穿孔および切断用油の保存料として使用する組成物。
【請求項１２】  獣医用医薬として使用する、請求項１〜５のいずれかに記載の化合物または請求項７、９もしくは１０に記載の組成物。
【請求項１３】  請求項７〜１１のいずれかに記載の組成物を製造する方法であって、活性な物質および他の添加剤を混合し、その混合物を適切な使用形態にすることを含む組成物の製造方法。
【請求項１４】  請求項１〜５のいずれかに記載の化合物、または請求項７、８、１０および１１のいずれかに記載の組成物の殺真菌剤としての使用。
【請求項１５】  材木の保存料として、または封水剤、塗料、金属作業用冷却潤滑剤または穿孔および切断用油の保存料としての、請求項１〜５のいずれかに記載の化合物、または請求項７、８および１１のいずれかに記載の組成物の使用。
【請求項１６】  有害な昆虫、ダニ目、軟体類および線虫を制御するための請求項１〜５のいずれかに記載の化合物、または請求項７、９または１０のいずれかに記載の組成物の使用。
【請求項１７】  植物病原性真菌を制御する方法であって、前記方法が請求項１〜５のいずれかに記載の化合物、または請求項７、８、１０および１１のいずれかに記載の組成物の殺真菌的に有効な量をそれら真菌、またはそれらが発生した植物、領域もしくは物質、または種子に適用することを含む植物病原性真菌の制御方法。
【請求項１８】  有害な昆虫、ダニ目、軟体類および線虫を制御する方法であって、請求項１〜５のいずれかに記載の化合物、または請求項７、９または１０のいずれかに記載の組成物の有効量がそれら、またはそれらが発生した植物、領域または物質に適用される制御方法。
【請求項１９】  請求項１〜５のいずれかに記載の化合物または請求項７、９または１０のいずれかに記載の組成物の有効量で処理または被覆した種子。
【手続補正２】
【補正対象書類名】明細書
【補正対象項目名】０００６
【補正方法】変更
【補正の内容】
【０００６】
Ｒ5およびＲ6は同一または異なっていて、
ａ) 水素、ハロゲン、シアノ、ホルミル、（Ｃ2−Ｃ5）アルキルカルボニル、（Ｃ2−Ｃ8）アルコキシカルボニル、（Ｃ3−Ｃ9）モノアルキル−およびジアルキルアミノカルボニル；
ｂ) （Ｃ1−Ｃ8）アルキル、（Ｃ3−Ｃ8）シクロアルキル、（Ｃ4−Ｃ8）シクロアルケニル、（Ｃ1−Ｃ8）アルコキシアルキル、（Ｃ1−Ｃ8）アルキルチオ、（Ｃ1−Ｃ8）アルキルスルフィニル、（Ｃ1−Ｃ8）アルキルスルホニル、ＮＲ7Ｒ8、フェニル、フェノキシ、（Ｃ7−Ｃ12）フェニルアルキル、（Ｃ7−Ｃ12）フェニルアルコキシ、ヘテロシクリル、好ましくは（Ｃ4−Ｃ7）オキサシクロアルキル、（Ｃ4−Ｃ7）オキサシクロアルケニル、（Ｃ4−Ｃ7）チアシクロアルキル、（Ｃ4−Ｃ7）チアシクロアルケニル、ピリジル、ピリミジニル、ピラジニル、フラニル、チエニル、ピロリル、イミダゾリル、ピラゾリル、トリアゾリル、チアゾリル、オキサジアゾリル、ヘテロシクリルオキシ誘導体、ヘテロシクリル（Ｃ1−Ｃ4）アルコキシ、（Ｃ3−Ｃ12）ヘテロシクリルアルキル（グループｂの各々は場合によって１つまたは２つ以上、好ましくは１つから３つの、ハロゲン、（Ｃ1−Ｃ4）アルキル、（Ｃ1−Ｃ3）ハロアルキル、（Ｃ1−Ｃ3）アルコキシ、（Ｃ1−Ｃ3）ハロアルコキシ、（Ｃ1−Ｃ3）アルキルチオ、ＮＲ7Ｒ8、アルキルカルボニル（Ｃ2−Ｃ5）、アルコキシカルボニル（Ｃ2−Ｃ8）、モノアルキル−およびジアルキルアミノカルボニル（Ｃ3−Ｃ9）、シアノ並びにトリ(Ｃ1−Ｃ4)アルキルシリルから成る群から選ばれるラジカルで置換されている）；または
ｃ) （Ｃ1−Ｃ8）アルコキシ（グループｃの各々は場合によって１つまたは２つ以上、好ましくは１つから３つの、ハロゲン、（Ｃ1−Ｃ3）アルキルチオ、ＮＲ7Ｒ8、アルキルカルボニル（Ｃ2−Ｃ5）、アルコキシカルボニル（Ｃ2−Ｃ8）、モノアルキル−およびジアルキルアミノカルボニル（Ｃ3−Ｃ9）、シアノ並びにトリ（Ｃ1−Ｃ4）アルキルシリルから成る群から選ばれる基で置換されている）であるか、または
ｄ) Ｒ5およびＲ6は一緒になって、ｂ）に記載した基の２つを連結することによって生成される好ましくは単環、好ましくは（Ｃ3−Ｃ5）アルキレン、（Ｃ2−Ｃ4）アルキレンオキシ、（Ｃ1−Ｃ3）アルキレンジオキシ、（Ｃ2−Ｃ4）アルキレンアミノまたはアルキレンチオ（Ｃ2−Ｃ4）を形成し；